(57)【要約】【課題】下水等の再生水ろ過時に、不快害虫の幼虫やろ材の摩耗クズが、処理水側へ流出するのを防止するセイフティースクリーンの洗浄装置を提供する。【解決手段】ろ過槽（１）の頂部に設けた集水室（４）に、外周部に処理水室（６）を配設した円筒状のスクリーン（５）を立設し、垂下した吸込短管（１１）の吸込口（１３）をスクリーン（５）の内周面に沿って回転自在に配設すると共に、吸込短管（１１）の上部を外装したロータリージョイント（１６）に逆洗水排水管（１７）を連結し、吸込短管（１１）と逆洗水排水管（１７）を逆Ｕ字状に連通させたもので、集水室（４）に流入したユスリカ等の不快害虫の幼虫やろ材の摩耗クズをスクリーン（５）で捕捉して、ろ過運転を継続しながら処理水室（６）の背圧とサイホン作用を利用して、分離水の一部を逆流させて吸込短管（１１）の吸込口（１３）から不快害虫の幼虫等を排出する。【選択図】　　　図１
2004066152.tif 000002
【特許請求の範囲】
【請求項１】
密閉状のろ過槽（１）の底部から供給した原水を、ろ材層（３）で固液分離を行なって、ろ過槽（１）の頂部からろ液を取出すろ過装置において、上記ろ過槽（１）の上部にろ液の集水室（４）を設け、この集水室（４）の上端部に円筒状のスクリーン（５）を立設して、スクリーン（５）の外周部に処理水室（６）を配設すると共に、スクリーン（５）の内部に垂下した吸込短管（１１）の吸込口（１３）をスクリーン（５）の内周面に沿って回転自在に配設したことを特徴とするろ過機におけるセイフティースクリーンの洗浄装置。
【請求項２】
上記ろ過槽（１）の頂部に集水ノズル（２）を配設して集水室（４）とし、集水ノズル（４）の上端部にスクリーン（５）を立設したことを特徴とする請求項１に記載のろ過機におけるセイフティースクリーンの洗浄装置。
【請求項３】
上記スクリーン（５）が、保護金網（７）に支持された金属ろ材（８）を、一対のパンチングメタル（９、１０）で挟持して、パンチングメタル（９、１０）の目開きを集水室（４）側を処理水室（６）側より小さくしたことを特徴とする請求項１または２に記載のろ過機におけるセイフティースクリーンの洗浄装置。
【請求項４】
上記吸込短管（１１）をろ過槽（１）の上部に支架した減速機（１４）の回転軸（１５）に連結し、吸込短管（１１）の上部を外装したロータリージョイント（１６）に逆洗水排水管（１７）を連結して、吸込短管（１１）と逆洗水排水管（１７）を連通させたことを特徴とする請求項１乃至３の何れか１項に記載のろ過機におけるセイフティースクリーンの洗浄装置。
【請求項５】
上記逆洗水排水管（１７）の後端部に洗浄弁（１８）を連結して、吸込短管（１１）と逆洗水排水管（１７）を逆Ｕ字状に形成したことを特徴とする請求項４に記載のろ過機におけるセイフティースクリーンの洗浄装置。
【請求項６】
上記逆洗水排水管（１７）に連結した洗浄弁（１８）の後段にラインポンプ（１９）を配設したことを特徴とする請求項４または５に記載のろ過機におけるセイフティースクリーンの洗浄装置。
【発明の詳細な説明】
【０００１】
【発明の属する技術分野】
この発明は、下水等の再生水ろ過時に、不快害虫の幼虫やろ材の摩耗クズが、処理水側へ流出するのを防止するろ過機におけるセイフティースクリーンの洗浄装置に関する。
【０００２】
【従来の技術】
従来、砂ろ過装置は周知であり、樹脂性ろ材や繊維ろ材等を用いて上向流で固液分離を行なうろ過装置もよく知られている。樹脂ろ材や繊維ろ材等を用いたろ過装置は、ろ材の比重が軽く、目詰まりしたろ材層が容易に撹拌でき、洗浄水も少ない利点がある。ろ過槽に上向流で供給した原水を、粒状の発泡ろ材のろ材層で固液分離を行ない、集水ノズルからろ液を取出して、目詰まりしたろ材層を撹拌機で洗浄撹拌してろ材を再生する装置は、例えば、特開平９−１５５１１６号公報に記載してあるように、この発明の出願人が提案している。また、ろ過槽上部にろ材流出防止用の止水スクリーンを設け、集水した分離水側にスクリーンを設け、混入するユスリカの幼虫等を除去する装置も、例えば、特開２００２−１１３０５号公報に記載してあるように、この発明の出願人が提案している。
【０００３】
【発明が解決しようとする課題】
従来、動物プランクトンやユスリカの幼虫等の生物体は、ろ材層中を動くことにより、捕捉粒子径よりも大きいにもかかわらず、集水ノズルを通り抜け集水室に流入し、下水等の再生水ろ過時に、ユスリカ等の不快害虫の幼虫や樹脂性ろ材の摩耗クズが処理水側に流入していた。その対策として、細目のスクリーンを配設したろ過機にあっては、不快害虫の幼虫やろ材の摩耗クズの除去ができるものであるが、ろ過運転を停止してスクリーンに配設した洗浄管から洗浄水を噴射して、スクリーンの目詰まりを解消する必要があった。この発明は、上記のろ過装置を改良したもので、ろ過を中断することなく、セイフティースクリーンを自動的に洗浄できる洗浄装置を提供することを目的とする。
【０００４】
【課題を解決するための手段】
この発明の要旨は、密閉状のろ過槽の底部から供給した原水を、ろ材層で固液分離を行なって、ろ過槽の頂部からろ液を取出すろ過装置において、上記ろ過槽の上部にろ液の集水室を設け、この集水室の上端部に円筒状のスクリーンを立設して、スクリーンの外周部に処理水室を配設すると共に、スクリーンの内部に垂下した吸込短管の吸込口をスクリーンの内周面に沿って回転自在に配設したもので、集水室に流入してきたユスリカ等の不快害虫の幼虫や樹脂性ろ材の摩耗クズをスクリーンで捕捉して、ろ過運転を継続しながら、回転する吸込短管の吸込口から不快害虫の幼虫や摩耗クズを排出させることができる。ろ過槽の集水室は、ろ過槽の頂部に集水ノズルを配設して集水室とし、集水ノズルの上端部にスクリーンを立設したもので、ろ過室を広くとることができる。
【０００５】
不快害虫の幼虫やろ材の摩耗クズを捕捉するスクリーンは、保護金網に支持された金属ろ材を、パンチングメタルで挟持して、パンチングメタルの目開きを集水室側を処理水室側より小さくしたもので、補強したスクリーンに処理水室の背圧を受け易くしたものである。回転自在な吸込短管は、吸込短管の上端をろ過槽の上部に支架した減速機の回転軸に連結し、吸込短管の上部を外装したロータリージョイントに逆洗水排水管を連結して、吸込短管と逆洗水排水管を連通させたもので、処理水室の背圧を利用して処理水の一部を吸込短管に流入させて、不快害虫の幼虫や摩耗クズを排出することができる。逆洗水排水管の後端部に洗浄弁を連結して、吸込短管と逆洗水排水管を逆Ｕ字状に形成すれば、サイホン作用が利用できる。スクリーン前後に差圧が取れない時には、逆洗水排水管に連結した洗浄弁の後段にラインポンプを配設すれば、不快害虫の幼虫や摩耗クズを吸引して排出することができる。
【０００６】
【発明の実施の形態】
この発明に係る装置は上記のように構成してあり、ろ過槽の槽底から供給した原水は、原水中に含まれる微細粒子をろ過層で捕捉させ、分離したろ液をろ過槽上部の集水室に流入させる。分離水とともに集水室に流入してきたユスリカ等の不快害虫の幼虫や樹脂性ろ材の摩耗クズをスクリーンで捕捉して、スクリーンから処理水室に流入させて、ろ過槽より処理水を排出する。スクリーンが捕捉した不快害虫の幼虫や摩耗クズで目詰まりした時には、ろ過運転を継続しながら、処理水側に背圧をかけると同時に、洗浄弁を開き大気解放すれば、ろ過された処理水の一部でスクリーンの洗浄が行なわれる。不快害虫の幼虫や摩耗クズが処理水とともに吸込口から吸込短管に流入し、ロータリージョイントを経由して洗浄水排水管から排出される。なお、配置上スクリーンの前後の差圧が取れない場合は、ラインポンプで吸引する。ろ材層が目詰まりしたときには、撹拌羽根や空気撹拌等でろ材層を撹拌すれば、ろ材層から分離された微細粒子を洗浄排水とともにろ過槽外に抜き出すことができる。そして、所定時間後にろ過操作を開始すれば、再生されたろ材層から清澄なろ液を取出すことができる。
【０００７】
【実施例】
この発明を図面に基づき詳述すると、図１はろ過槽上部に設けたセイフティースクリーンの洗浄装置であって、密閉状のろ過槽１に樹脂性の粒状の発泡ろ材や繊維ろ材等が収納してある。ろ過槽１の頂部に集水ノズル２が設けてあり、集水ノズル２の開口はろ材が流出しない程度の大きさとしてある。ろ過槽１に上向流で原水を供給して、ろ過槽１の上部にろ材を浮上させてろ材層３を形成させて、原水中に含まれる微細粒子をろ材層３に捕捉させ、分離されたろ液を集水ノズル２の内部の集水室４に移送する。動物プランクトンやユスリカの幼虫等の生物体は、ろ材層３中を動くことにより、捕捉粒子径よりも大きいにもかかわらず、集水ノズル２を通り抜ける。また、目詰まりしたろ材層３を機械撹拌あるいは空気撹拌した時に、ろ材の摩耗クズが発生し、比重の軽いろ材クズが集水室に流入する。なお、集水室４はろ過槽１の上部に集水スクリーンを張設して、その上方を集水室としてもよいものである。また、ろ材層３は比重の大きい砂やアンスラサイトとしてもよいものである。
【０００８】
図１に示すように、ろ過槽１の頂部に配設した集水ノズル２の上端に円筒状のスクリーン５が立設してあり、このスクリーン５を集水ノズル２の集水室４に連通させてある。スクリーン５の外周部に処理水室６が配設してあり、ろ液とともに集水室４に流入してきた不快害虫の幼虫や樹脂性ろ材の摩耗クズをスクリーン５で捕捉して、分離された処理水だけをスクリーン５の周部の処理水室６に流出させて、処理水室６に設けた処理水管２０からろ過槽１外に抜出す。図２に示すように、スクリーン５は保護金網７に支持された金属ろ材８がパンチングメタル９、１０で挟持してあり、集水室４側のパンチングメタル９の目開きを処理水室６側のパンチングメタル１０の目開きより小さくしてある。処理水室６から集水室４への背圧を受けやすくしてある。
【０００９】
図１および図３に示すように、円筒状のスクリーン５の前面にＬ字状の吸込短管１１が垂下してあり、スクリーン５に向って屈曲させた吸込短管１１の下端部にスペーサー１２を介して吸込口１３が連結してある。図４に示すように、吸込口１３は上下方向に長孔が開口してあり、スペーサー１２でスクリーン５のろ過面と吸込口１３の間隔を調整する。吸込短管１１の上端がろ過槽１の上部に支架した減速機１４の回転軸１５に連結してあり、吸込短管１１の吸込口１３をスクリーンの内周ろ過面に沿って回転させる。吸込短管１１の上部を外装したロータリージョイント１６に逆洗水排水管１７が連結してあり、回転している吸込短管１１の上端部と逆洗水排水管１７を連通させてある。逆洗水排水管１７の後端部に洗浄弁１８が連結してあり、吸込短管８と逆洗水排水管１７を逆Ｕ字状に形成してある。
【００１０】
スクリーン５が目詰まりした時には、ろ過運転を継続しながら、減速機１４で吸込短管１１を回転させ、処理水室６に背圧をかけると同時に洗浄弁１８を開き大気解放する。処理水室６側の背圧と逆洗水排水管１７のサイホン作用により、処理水の一部が処理水室６から吸込短管１１の吸込口１３に吸引されて、スクリーン５で捕捉したＳＳ、ろ材クズ及び不快害虫の幼虫が吸込口１３から吸込短管１１に流入する。洗い流された不快害虫の幼虫等はロータリージョイント１６を経由して洗浄水排水管１７から排出され、スクリーン５の目詰まり物が取除かれる。なお、配置上スクリーン５の前後の差圧が取れない場合は、逆洗水排水管１７に連結した洗浄弁１８の後段にラインポンプ１９を配設して、このラインポンプ１９で吸引すれば、スクリーン５の目詰まりが解消できる。そして、ろ材層３が目詰まりしたときには、撹拌羽根（図示せず）等でろ材層３を空気撹拌または機械撹拌すれば、ろ材層３から分離された微細粒子を洗浄排水とともにろ過槽１外に排出できる。
【００１１】
【発明の効果】
以上のように、この発明に係るろ過機におけるセイフティースクリーンの洗浄装置は、不快害虫の幼虫やろ材の摩耗クズが、処理水側へ流出するのを防止して、目詰まりしたスクリーンをろ過を中断することなく洗浄することができる。即ち、従来のろ過装置では、処理水側に流入したユスリカ等の不快害虫の幼虫やろ材の摩耗クズは、細目のスクリーンを配設して捕捉し、ろ過運転を停止してスクリーンを洗浄する必要があったものであるが、この発明にあっては、外周部に処理水室を配設した円筒状のスクリーンをろ過槽の集水室に立設し、スクリーンの内部に垂下した吸込短管を回転自在に配設したもので、ろ液の集水室に流入してきたユスリカ等の不快害虫の幼虫や樹脂性ろ材の摩耗クズをスクリーンで捕捉して、ろ過運転を継続しながら分離水の一部を逆流させて、吸込短管の吸込口から不快害虫の幼虫等を排出することができる。
【００１２】
ろ過槽の集水室は、ろ過槽の頂部に集水ノズルを配設して集水室とし、集水ノズルの上端にスクリーンを連設すれば、ろ過室を広く取ることができる。スクリーンが、保護金網に支持された金属ろ材を、パンチングメタルで挟持して、パンチングメタルの目開きを集水室側を処理水室側より小さくしたもので、補強したスクリーンに処理水室の背圧を受け易くなるものである。回転自在な吸込短管は、吸込短管の上端をろ過槽の上部に支架した減速機の回転軸に連結し、吸込短管の上部を外装したロータリージョイントに逆洗水排水管を連結して、吸込短管と逆洗水排水管を連通させたもので、処理水側の背圧で吸込短管から不快害虫の幼虫や摩耗クズを排出することができる。逆洗水排水管の後端部に洗浄弁を連結して、吸込短管と逆洗水排水管を逆Ｕ字状に形成したもので、洗浄弁を解放すれば、サイホン作用が利用できる。スクリーンの前後に差圧が取れない時には、逆洗水排水管に連結した洗浄弁の後段にラインポンプを配設すれば、不快害虫の幼虫や摩耗クズを排出することができる。
【図面の簡単な説明】
【図１】この発明に係るろ過機におけるセイフティースクリーンの洗浄装置の縦断面図である。
【図２】同じく、要部のスクリーンの縦断面図である。
【図３】同じく、スクリーンに対設した吸込短管の横断面図である。
【図４】同じく、吸込短管の吸込口の正面図である。
【符号の説明】
１　ろ過槽
２　集水ノズル
３　ろ材層
４　集水室
５　スクリーン
６　処理水室
７　保護金網
８　金属ろ材
９、１０　パンチングメタル
１１　吸込短管
１３　吸込口
１４　減速機
１５　回転軸
１６　ロータリージョイント
１７　逆洗水排水管
１８　洗浄弁
１９　ラインポンプ
【図１】
2004066152.tif 000003
【図２】
2004066152.tif 000004
【図３】
2004066152.tif 000005
【図４】
2004066152.tif 000006